(57)【要約】【課題】電子機器における消費電力を低減する。【解決手段】電子機器において、被写体を撮像して画像を生成する撮像部と、前記被写体から前記撮像部に結像される光が通過する開口の面積を調整可能な絞り部と、低消費電力モードおよび活性モードを切り替える処理部と、前記活性モードで前記絞り部を制御するよう動作し、前記低消費電力モードでは動作を停止する制御部と、を備える。【選択図】図１
2019114874.tif 000002
【特許請求の範囲】
【請求項１】
被写体を撮像して画像を生成する撮像部と、
前記被写体から前記撮像部に結像される光が通過する開口の面積を調整可能な絞り部と、
低消費電力モードおよび活性モードを切り替える処理部と、
前記活性モードで前記絞り部を制御するよう動作し、前記低消費電力モードでは動作を停止する制御部と、を備える、
電子機器。
【請求項２】
前記処理部は、前記撮像部を操作するためのアプリケーションを実行することが可能であり、
前記処理部は、前記アプリケーションを実行するまで、前記制御部を前記低消費電力モードに維持する、
請求項１に記載の電子機器。
【請求項３】
前記処理部は、前記アプリケーションを実行する場合、前記制御部を前記低消費電力モードから前記活性モードへ切り替える、
請求項２に記載の電子機器。
【請求項４】
前記処理部は、前記アプリケーションを実行する場合、前記画像の明るさを示す光量情報を取得し、取得した前記光量情報の示す前記明るさと所定のしきい値とを比較し、比較結果に基づき前記制御部を前記低消費電力モード及び前記活性モードのいずれか一方からいずれか他方へ切り替える、
請求項２に記載の電子機器。
【請求項５】
前記処理部は、前記アプリケーションを実行する場合、前記画像の明るさを示す光量情報を取得し、前記光量情報に基づく前記明るさの変化度合いと所定のしきい値との比較結果に基づき、前記制御部を前記低消費電力モード及び前記活性モードのいずれか一方からいずれか他方へ切り替える、
請求項２に記載の電子機器。
【請求項６】
前記制御部は、電源端子、データ端子、および同期端子を有する集積回路に実装され、前記低消費電力モードおよび前記活性モードを切り替える制御命令を前記データ端子経由で受ける、
請求項１から請求項５のいずれか１項に記載の電子機器。
【請求項７】
前記制御部は、前記低消費電力モードにおいて、待機状態、休止状態、および電源オフ状態のいずれか１つをとる、
請求項１から請求項６のいずれか１項に記載の電子機器。
【請求項８】
前記処理部は、前記撮像部を操作するためのアプリケーションを実行することが可能であり、
前記制御部は、前記電子機器の電源がオンされると、前記電源オフ状態をとり、
前記制御部は、前記処理部によって前記アプリケーションが実行されると、前記休止状態または前記待機状態へ遷移し、
前記制御部は、前記処理部によって前記アプリケーションが実行された後において、前記画像の明るさが所定のしきい値以上であるか、または前記明るさの変化度合いが所定のしきい値以上である場合、前記活性モードへ遷移する、
請求項７に記載の電子機器。
【請求項９】
前記処理部は、前記撮像部を操作するためのアプリケーションを実行することが可能であり、
前記制御部は、前記電子機器の電源がオンされると、前記休止状態をとり、
前記制御部は、前記処理部によって前記アプリケーションが実行されると、前記待機状態へ遷移し、
前記制御部は、前記処理部によって前記アプリケーションが実行された後において、前記画像の明るさが所定のしきい値以上であるか、または前記明るさの変化度合いが所定のしきい値以上である場合、前記活性モードへ遷移する、
請求項７に記載の電子機器。
【請求項１０】
前記処理部は、前記撮像部を操作するためのアプリケーションを実行することが可能であり、
前記制御部は、前記電子機器の電源がオンされると、前記休止状態または前記待機状態をとり、
前記制御部は、前記処理部によって前記アプリケーションが実行されても、前記休止状態または前記待機状態を維持し、
前記制御部は、前記処理部によって前記アプリケーションが実行された後において、前記画像の明るさが所定のしきい値以上であるか、または前記明るさの変化度合いが所定のしきい値以上である場合、前記活性モードへ遷移する、
請求項７に記載の電子機器。
【請求項１１】
被写体から撮像部に結像される光が通過する開口の面積を調整可能な絞り部と、
低消費電力モードおよび活性モードのいずれか一方で動作し、前記活性モードで前記絞り部を制御するよう動作し、前記低消費電力モードでは動作を停止する制御部と、を備え、
前記制御部は、前記低消費電力モードおよび前記活性モードを切り替えるための制御命令を受け、受けた前記制御命令に基づき自己の動作モードを切り替える、
絞り機構。
【請求項１２】
被写体から撮像部に結像される光が通過する開口の面積を調整可能な絞り部と、低消費電力モードおよび活性モードのいずれか一方で動作し、前記活性モードで前記絞り部を制御するよう動作し、前記低消費電力モードでは動作を停止する制御部と、を備える絞り機構における動作制御方法であって、
前記低消費電力モードおよび前記活性モードを切り替えるための制御命令を受けるステップと、
受けた前記制御命令に基づき自己の動作モードを切り替えるステップと、を有する、
動作制御方法。
【発明の詳細な説明】
【技術分野】
【０００１】
本発明の一態様は、被写体を撮像する電子機器などに関する。
【背景技術】
【０００２】
従来から、カメラなどの撮像装置には、撮像素子に照射される光が通過する開口の面積を調整する絞り機構が含まれるものがある。このような絞り機構は、たとえば特許文献１〜特許文献３などに開示されている。
【先行技術文献】
【特許文献】
【０００３】
【特許文献１】特開２０１６−１２６０３５号公報
【特許文献２】特開２００９−３０３２５５号公報
【特許文献３】特開２００９−１７５５６２号公報
【発明の概要】
【発明が解決しようとする課題】
【０００４】
ところで、スマートフォンなどのような携帯型の電子機器には、撮像素子を用いたカメラ（撮像装置）が内蔵されることがある。このような携帯型の電子機器では、バッテリによって電力が供給されるケースが多いため、消費電力の低減が求められる一方で、高品質の画像を撮影したいというニーズがある。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
被写体を撮像して画像を生成する撮像部（４）と、
前記被写体から前記撮像部に結像される光が通過する開口の面積を調整可能な絞り部（６）と、
低消費電力モードおよび活性モードを切り替える処理部（１１）と、
前記活性モードで前記絞り部を制御するよう動作し、前記低消費電力モードでは動作を停止する制御部（１５）と、を備える、
電子機器である。
【０００７】
上記構成の電子機器によれば、たとえば、絞り部の制御が不要なときに低消費電力モードに設定することができるので、電子機器における消費電力を低減することができる。また、たとえば、絞り部の制御が要求されたときに活性モードに切り替えることができるので、被写界深度および明るさを調整しながら被写体を撮像することができる。さらに、絞り部によって撮像部に結像される光を調整することができるため、被写界深度の調整や、撮像する画像の明るさを調整することが可能となり、高品質な画像を撮像する構成にすることができる。
【０００８】
上記電子機器において、好ましくは、
前記処理部（１１）は、前記撮像部（４）を操作するためのアプリケーションを実行することが可能であり、前記処理部は、前記アプリケーションを実行するまで、前記制御部（１５）を前記低消費電力モードに維持する。
【０００９】
上記構成の電子機器によれば、たとえば、ユーザがアプリケーションの使用を開始するまで低消費電力モードに維持されることで、電子機器における消費電力を低減することができる。特に、被写体を撮像しないユーザ、および被写体の撮像頻度の少ないユーザに対して、制御部における電力消費を効果的に抑制することができる。
【００１０】
上記電子機器において、好ましくは、
前記処理部（１１）は、前記アプリケーションを実行する場合、前記制御部を前記低消費電力モードから前記活性モードへ切り替える。
【００１１】
上記構成の電子機器によれば、たとえばユーザによってアプリケーションの使用が開始されると、活性モードに切り替えられることで、被写界深度の調整機能および明るさの広範囲な調整機能をユーザに提供することができる。
【００１２】
上記電子機器において、好ましくは、
前記処理部（１１）は、前記アプリケーションを実行する場合、前記画像の明るさを示す光量情報を取得し、取得した前記光量情報の示す前記明るさと所定のしきい値とを比較し、比較結果に基づき前記制御部（１５）を前記低消費電力モード及び前記活性モードのいずれか一方からいずれか他方へ切り替える。
【００１３】
上記構成の電子機器によれば、たとえば、絞り部の開口が標準で全開に設定されている場合において画像の明るさが不足している状況であるとき、または絞り部の開口が標準で小絞り（設定可能な範囲の内で最小の状態）に設定されている場合において画像の明るさが過剰な状況であるときのように、絞り部の制御が不要な場合において低消費電力モードにすることができる。一方、たとえば、絞り部の開口が標準で全開に設定されている場合において画像の明るさが過剰な状況であるとき、または絞り部の開口が標準で小絞りに設定されている場合において画像の明るさが不足している状況であるときのように、絞り部の制御が要求される場合において活性モードにすることができる。これにより、アプリケーションが実行されても、必要のない場合には活性モードへ切り替えずに済ますことができるので、電子機器における消費電力を効果的に低減することができる。
【００１４】
上記電子機器において、好ましくは、
前記処理部（１１）は、前記アプリケーションを実行する場合、前記画像の明るさを示す光量情報を取得し、前記光量情報に基づく前記明るさの変化度合いと所定のしきい値との比較結果に基づき、前記制御部（１５）を前記低消費電力モード及び前記活性モードのいずれか一方からいずれか他方へ切り替える。
【００１５】
画像の明るさの変化度合いが大きい場合、撮像部のゲインコントロールによる画像の明るさの調整が追い付かないことがある。上記構成の電子機器によれば、撮像部からの画像の明るさに基づき制御部を活性モードへ切り替える場合と比べて、たとえばより早いタイミングで活性モードへ切り替えることができる。
【００１６】
上記電子機器において、好ましくは、
前記制御部（１５）は、電源端子、データ端子、および同期端子を有する集積回路に実装され、前記低消費電力モードおよび前記活性モードを切り替える制御命令を前記データ端子経由で受ける。
【００１７】
上記構成の電子機器によれば、１つの端子に与えるロジック信号のレベルに応じて低消費電力モードおよび活性モードを切り替える構成と比べて、１つのデータ端子から３種類以上の命令を受けることができる。これにより、たとえば、低消費電力モードをより細かく設定することができるので、低消費電力モードにおいてスタンバイおよびスリープなどのバリエーションを設けることができる。
【００１８】
上記電子機器において、好ましくは、
前記制御部（１５）は、前記低消費電力モードにおいて、待機状態、休止状態、および電源オフ状態のいずれか１つをとる。
【００１９】
上記構成の電子機器によれば、ユーザまたは製造事業者の省電力に対するポリシー、およびユーザまたは製造事業者の早期起動に対するポリシーを、バランスよく適合させた電力消費の低減を実現することができる。
【００２０】
上記電子機器において、好ましくは、
前記処理部（１１）は、前記撮像部（４）を操作するためのアプリケーションを実行することが可能であり、
前記制御部（１５）は、前記電子機器（１）の電源がオンされると、前記電源オフ状態をとり、
前記制御部は、前記処理部によって前記アプリケーションが実行されると、前記休止状態または前記待機状態へ遷移し、
前記制御部は、前記処理部によって前記アプリケーションが実行された後において、前記画像の明るさが所定のしきい値以上であるか、または前記明るさの変化度合いが所定のしきい値以上である場合、前記活性モードへ遷移する。
【００２１】
上記構成の電子機器によれば、制御部における電源オフ状態、休止状態、待機状態および活性モードを、電子機器の電源状態、アプリケーションの実行状況、および画像の明るさの状態に応じて適切に設定することができる。
【００２２】
上記電子機器において、好ましくは、
前記処理部（１１）は、前記撮像部（４）を操作するためのアプリケーションを実行することが可能であり、
前記制御部（１５）は、前記電子機器（１）の電源がオンされると、前記休止状態をとり、
前記制御部は、前記処理部によって前記アプリケーションが実行されると、前記待機状態へ遷移し、
前記制御部は、前記処理部によって前記アプリケーションが実行された後において、前記画像の明るさが所定のしきい値以上であるか、または前記明るさの変化度合いが所定のしきい値以上である場合、前記活性モードへ遷移する。
【００２３】
上記構成の電子機器によれば、制御部における電源オフ状態、休止状態、待機状態および活性モードを、電子機器の電源状態、アプリケーションの実行状況、および画像の明るさの状態に応じて適切に設定することができる。
【００２４】
上記電子機器において、好ましくは、
前記処理部（１１）は、前記撮像部（４）を操作するためのアプリケーションを実行することが可能であり、
前記制御部（１５）は、前記電子機器（１）の電源がオンされると、前記休止状態または前記待機状態をとり、
前記制御部は、前記処理部によって前記アプリケーションが実行されても、前記休止状態または前記待機状態を維持し、
前記制御部は、前記処理部によって前記アプリケーションが実行された後において、前記画像の明るさが所定のしきい値以上であるか、または前記明るさの変化度合いが所定のしきい値以上である場合、前記活性モードへ遷移する。
【００２５】
上記構成の電子機器によれば、制御部における電源オフ状態、休止状態、待機状態および活性モードを、電子機器の電源状態、アプリケーションの実行状況、および画像の明るさの状態に応じて適切に設定することができる。
【００２６】
また、本発明の別の手段は、
被写体から撮像部（４）に結像される光が通過する開口の面積を調整可能な絞り部（６）と、
低消費電力モードおよび活性モードのいずれか一方で動作し、前記活性モードで前記絞り部を制御するよう動作し、前記低消費電力モードでは動作を停止する制御部（１５）と、を備え、
前記制御部は、前記低消費電力モードおよび前記活性モードを切り替えるための制御命令を受け、受けた前記制御命令に基づき自己の動作モードを切り替える、
絞り機構である。
【００２７】
上記構成の絞り機構によれば、たとえば、絞り部の制御が不要なときに低消費電力モードに設定することができるので、絞り機構における消費電力を低減することができる。また、たとえば、絞り部の制御が要求されたときに活性モードに切り替えることができるので、被写界深度および明るさを調整しながら被写体を撮像することができる。
【００２８】
また、本発明の別の手段は、
被写体から撮像部（４）に結像される光が通過する開口の面積を調整可能な絞り部（６）と、低消費電力モードおよび活性モードのいずれか一方で動作し、前記活性モードで前記絞り部を制御するよう動作し、前記低消費電力モードでは動作を停止する制御部（１５）と、を備える絞り機構における動作制御方法であって、
前記低消費電力モードおよび前記活性モードを切り替えるための制御命令を受けるステップと、
受けた前記制御命令に基づき自己の動作モードを切り替えるステップと、を有する、
動作制御方法である。
【００２９】
上記構成の動作制御方法によれば、たとえば、絞り部の制御が不要なときに低消費電力モードに設定することができるので、絞り機構における消費電力を低減することができる。また、たとえば、絞り部の制御が要求されたときに活性モードに切り替えることができるので、被写界深度および明るさを調整しながら被写体を撮像することができる。さらに、絞り部によって撮像部に結像される光を調整することができるため、被写界深度の調整や、撮像する画像の明るさを調整することが可能となり、高品質な画像を撮像する構成にすることができる。
【図面の簡単な説明】
【００３０】
【図１】図１は、本実施形態の電子機器のハードウェア構成を示す図である。
【図２】図２は、本実施形態の電子機器のソフトウェア構成を示す図である。
【図３】図３は、本実施形態における電子機器における動作制御処理を示すフローチャートである。
【図４】図４は、本実施形態における電子機器における動作制御処理の第１の変形例を示すフローチャートである。
【図５】図５は、本実施形態における電子機器における動作制御処理の第２の変形例を示すフローチャートである。
【図６】図６は、本実施形態における電子機器における動作制御処理の第３の変形例を示すフローチャートである。
【図７】図７は、本実施形態における電子機器における動作制御処理の第４の変形例を示すフローチャートである。
【発明を実施するための形態】
【００３１】
本発明の電子機器は、開口の面積を調整可能な絞り部を制御する制御部において、低消費電力モードおよび活性モード（アクティブモード）を切り替える構成としている点を特徴のひとつとする。
【００３２】
本発明に係る実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態
（１）電子機器のハードウェア構成例
（２）電子機器のソフトウェア構成例
（３）動作例
（４）変形例１
（５）変形例２
（６）変形例３
（７）変形例４
２．補足事項
【００３３】
＜１．実施形態＞
＜（１）電子機器のハードウェア構成例＞
本発明の実施形態について、図面を参照しながら説明する。図１は、本実施形態の電子機器のハードウェア構成を示す図である。図１に示されるように、本実施形態の電子機器１は、メイン基板２、カメラモジュール３、表示部７、および入力部８を含んで構成される。メイン基板２は、処理部１１およびメモリ１２を含んで構成される。カメラモジュール３は、撮像部４および絞り機構５を含んで構成される。撮像部４は、制御ＩＣ（Integrated Circuit）１３および撮像素子１４を含んで構成される。絞り機構５は、絞り部６およびドライバ１５を含んで構成される。絞り部６は、ボイスコイルモータ（Voice Coil Motor : VCM）１６および羽根部材１７を含んで構成される。
【００３４】
＜電子機器１＞
本実施形形態では、電子機器１は、たとえば、スマートフォンなどの無線端末装置である。詳細には、電子機器１は、たとえば、３ＧまたはＬＴＥ（Long Term Evolution）などの通信方式に従って、携帯電話用の無線基地局と無線通信を行う。また、電子機器１は、たとえば、ＷｉＦｉ（登録商標）の通信方式に従って、他の無線通信装置と無線通信を行う。
【００３５】
＜表示部７および入力部８＞
本実施形態では、表示部７は、たとえば、液晶ディスプレイまたは有機ＥＬ（Electro Luminescence）ディスプレイなどの表示装置である。入力部８は、たとえばタッチパネルなどの、ユーザの操作を検出する入力検出部である。
【００３６】
＜メイン基板２＞
メイン基板２は、たとえば、処理部１１およびメモリ１２間のバスが形成された電子回路基板である。また、メイン基板２には、たとえば、表示部７および入力部８などの制御用の各種チップ、ならびに表示部７および入力部８などとの接続用の各種コネクタなどが搭載される。
【００３７】
＜メモリ１２＞
メモリ１２は、たとえば、ＤＲＡＭ（Dynamic Random Access Memory）などの揮発性メモリであり、プログラムおよびデータなどを保持する。
【００３８】
＜処理部１１＞
処理部１１は、たとえば、ＣＰＵ（Central Processing Unit）であり、メモリ１２などからプログラムを読み出し、読み出したプログラムの内容に従って電子機器１を動作させる。
【００３９】
＜カメラモジュール３＞
カメラモジュール３は、上記のとおり撮像部４および絞り機構５を含み、図示しないが、レンズ部をさらに含んで構成される。レンズ部は、被写体からの光線を撮像素子１４に結像する光学系を形成する。本実施形態では、カメラモジュール３は、電子機器１の筐体に内蔵される。
【００４０】
＜撮像部４＞
撮像部４は、被写体を撮像して画像を生成する。詳細には、撮像部４は、光学系によって撮像素子１４に結像された被写体を撮像することにより画像を生成し、生成した画像を示す画像情報を処理部１１へ出力する。本実施形態では、撮像部４は、処理部１１から受ける命令に従って動作するチップである。
【００４１】
＜撮像素子１４＞
撮像素子１４は、たとえば、ＣＣＤ（Charge Coupled Device）またはＣＭＯＳ（Complementary Metal Oxide Semiconductor）などのイメージセンサであり、複数の受光素子（図示しない）が２次元配列された受光面を有する。各受光素子は、光学系によって被写体が受光面に結像された状態において、受光した光の強度を電気信号に変換する。撮像素子１４は、ＣＣＤまたはＣＭＯＳ以外のイメージセンサであってもよい。
【００４２】
＜制御ＩＣ１３＞
制御ＩＣ１３は、撮像素子１４を制御する。詳細には、制御ＩＣ１３は、たとえば、撮像素子１４における各受光素子から電気信号の読み出しを行い、読み出した電気信号をデジタルデータに変換する。このデジタルデータが、被写体を含む画像を示す画像情報である。本実施形態では、制御ＩＣ１３は、たとえば、処理部１１から画像要求を受けると、変換後のデジタルデータすなわち画像情報を処理部１１へ出力する。なお、本実施例の制御ＩＣ１３は、電源ライン、ＧＮＤライン、データライン、同期ラインの４つの入出力端子を有している。
【００４３】
＜絞り機構５＞
絞り機構５は、たとえば、処理部１１から受ける命令に従って、光学系における光路の開口径すなわち撮像部４の露光用の開口部（図示しない）の開口量を調整する。
【００４４】
＜絞り部６＞
絞り部６は、上記のとおりボイスコイルモータ１６及び羽根部材１７を含んで構成される。絞り部６は、被写体から撮像部４に結像される光が通過する開口の面積を調整可能である。詳細には、絞り部６は、被写体から撮像素子１４に結像される光が通過する開口部の開口量を切り替える。本実施形態では、絞り部６は、ボイスコイルモータ１６及び羽根部材１７によって、開口量を「全開」および「小絞り」の２段階の絞り量で切り替える。
【００４５】
＜羽根部材１７＞
羽根部材１７は、開口量を調整する。詳細には、羽根部材１７は、たとえば、複数の絞り羽根（図示しない）を有する。各絞り羽根が、ボイスコイルモータ１６から受ける駆動力に応じて、所定の様式で位置および向きを変えることによって、開口部の開口量が変化する。
【００４６】
＜ボイスコイルモータ１６＞
ボイスコイルモータ１６は、羽根部材１７を駆動する。詳細には、ボイスコイルモータ１６は、ドライバ１５から受ける制御信号から直線運動を発生するリニアモータである。ボイスコイルモータ１６は、羽根部材１７における各絞り羽根と駆動部材を介して物理的にリンクしており、制御信号に応じて各絞り羽根の位置および動きの向きを変化させる。
【００４７】
＜ドライバ１５＞
ドライバ１５は、ボイスコイルモータ１６を駆動し制御する。ドライバ１５は、本発明でいう「制御部」の一具体例であり、制御ＩＣ１３とは別個のＩＣである。本実施形態では、ドライバ１５は、処理部１１の制御に従って、ボイスコイルモータ１６を制御するための電流または電圧を制御信号として生成し、生成した制御信号をボイスコイルモータ１６へ出力する。
【００４８】
また、ドライバ１５は、たとえば、ボイスコイルモータ１６が羽根部材１７を駆動させるための駆動部材の位置を検出する。詳細には、ドライバ１５は、たとえば、ホール素子を含み、磁石が設けられた駆動部材の近傍に配置される。駆動部材が移動することによりホール素子における磁束密度が変化する。ドライバ１５は、たとえば、ホール素子を用いて磁束密度を測定し、測定結果に基づき駆動部材の位置を検出する。なお、駆動部材の位置の検出は、エンコーダなど、ホール素子以外の位置検出機構を用いて行ってもよい。また、ドライバ１５は、羽根部材１７の位置を直接検出してもよい。
【００４９】
また、ドライバ１５は、低消費電力モードおよび活性モードのいずれか一方で動作し、活性モードで絞り部６を制御するよう動作し、低消費電力モードでは動作を停止する。本実施形態では、ドライバ１５は、電源端子、データ端子、および同期端子（これらの端子は図示しない）を有する集積回路に実装される。
【００５０】
ドライバ１５は、低消費電力モードおよび活性モードを切り替える制御命令、より詳細には、絞り電源オフ状態、休止状態、待機状態および活性状態間の切り替えを行う制御命令をデータ端子経由で受ける。ドライバ１５は、活性モードにおいて活性状態をとる。ドライバ１５は、低消費電力モードにおいて、待機状態、休止状態、および絞り電源オフ状態のいずれか１つをとる。詳細には、待機状態、休止状態、および絞り電源オフ状態の順に、消費電力は小さくなる。また、待機状態、休止状態、および絞り電源オフ状態の順に、起動に要する時間は長くなる。具体的には、待機状態および休止状態は、それぞれスタンバイおよびスリープである。絞り電源オフ状態では、例えば、ドライバ１５を含む絞り機構５への給電が停止される。待機状態と休止状態では、それぞれドライバ１５の一部への給電が停止されているが、給電停止の範囲が異なっている。詳細には、休止状態では、ドライバ１５を起動するための通信回路のみに給電されている。待機状態では、通信回路、メモリ回路およびドライバ回路などのドライバ１５におけるすべての回路に電力が供給されているが、ドライバ１５は、ボイスコイルモータ１６へ電流を供給していない。すなわち、待機状態では、羽根部材１７が無通電保持される。活性状態では、ドライバ１５におけるすべての回路に電力が供給され、さらにボイスコイルモータ１６へ電流を供給する。すなわち、活性状態では、羽根部材１７は、ドライバ１５によって制御されている。
【００５１】
＜（２）電子機器のソフトウェア構成例＞
図２は、本実施形態の電子機器のソフトウェア構成を示す図である。図２に示されるように、本実施形態のメイン基板２は、オペレーティングシステム２１およびアプリケーション２２を含んで構成される。
【００５２】
＜オペレーティングシステム２１＞
オペレーティングシステム２１は、アプリケーション２２を動作させるためのプログラムであり、処理部１１によって実行される。詳細には、オペレーティングシステム２１は、たとえば、工場出荷前において不揮発性メモリまたはＨＤＤ（Hard Disk Drive）にプリインストールされており、電子機器１の電源がオンされると、処理部１１によって読み出されてメモリ１２に格納される。オペレーティングシステム２１は、制御ＩＣ１３およびドライバ１５などのハードウェアに命令を出力することによってハードウェアを直接制御することが可能である。また、オペレーティングシステム２１は、ハードウェアを制御するためのプログラム（以下、ライブラリと称する。）を、アプリケーション２２の要求に応じてアプリケーション２２へ提供する。ライブラリの仕様は、たとえばＡＰＩ（Application Programming Interface）によって提供される。本実施形態では、オペレーティングシステム２１は、たとえば、絞り機構５における開口部の開口量を制御するための開口量制御ライブラリ、および撮像部４によって生成された画像の光量を取得するための光量取得ライブラリをアプリケーション２２へ提供する。また、オペレーティングシステム２１は、たとえば、制御ＩＣ１３から画像情報を取得し、取得した画像情報に基づき、撮像素子１４によって生成された画像の明るさを示す光量情報を作成する。
【００５３】
＜アプリケーション２２＞
アプリケーション２２は、オペレーティングシステム２１上で動作するプログラムであり、処理部１１によって実行される。アプリケーション２２は、電子機器１の外部からインストールされる。具体的には、アプリケーション２２は、たとえば、工場出荷後において、ユーザによって不揮発性メモリまたはＨＤＤにインストールされる。本実施形態では、アプリケーション２２は、たとえば、撮像部４を操作するためのプログラムである。詳細には、アプリケーション２２は、撮像部４によって生成された画像を表示部７に表示させるためのプログラムである。アプリケーション２２は、たとえば、入力部８に対するユーザの操作に従って動作を開始する。この際、アプリケーション２２は、たとえば、処理部１１によって不揮発性メモリまたはＨＤＤから読み出されてメモリ１２に格納される。アプリケーション２２は、入力部８に対するユーザの操作に従って動作し、オペレーティングシステム２１が提供する開口量制御ライブラリおよび光量取得ライブラリを用いて、オペレーティングシステム２１を介してカメラモジュール３を制御する、すなわちカメラモジュール３を間接的に制御する。
【００５４】
＜（３）動作例１＞
次に、本実施形態の電子機器における動作制御処理について、図３を参照しながら説明する。図３は、本実施形態における電子機器における動作制御処理を示すフローチャートである。この例では、処理部１１は、アプリケーション２２を実行するまで、ドライバ１５を低消費電力モードに維持する。そして、処理部１１は、アプリケーション２２を実行する場合、ドライバ１５を低消費電力モードから活性モードへ切り替える。以下では、電子機器１の電源がオフされている状況から始まる動作を想定する。
【００５５】
＜Ｓ１００＞
ユーザは、たとえば、電子機器１の電源をオンする。ドライバ１５は、電子機器１の電源がオンされると、絞り電源オフ状態をとる（Ｓ１００）。
【００５６】
＜Ｓ１０２＞
次に、オペレーティングシステム２１は、処理部１１において動作を開始し、活性モードへ切り替える制御命令をドライバ１５へ出力する。ドライバ１５は、処理部１１から活性モードへ切り替える制御命令を受けると、受けた制御命令に従って、自己の電源をオンして活性モードへ遷移する（Ｓ１０２）。
【００５７】
＜Ｓ１０４＞
次に、オペレーティングシステム２１は、低消費電力モードへ切り替える制御命令、ここではスタンバイ（待機状態）へ遷移させる制御命令をドライバ１５へ出力する。ドライバ１５は、処理部１１から制御命令を受けると、受けた制御命令に従って、低消費電力モードここでは待機状態へ遷移する（Ｓ１０４）。
【００５８】
＜Ｓ１０６＞
次に、オペレーティングシステム２１は、たとえばユーザによってアプリケーション２２が起動されるまで、ドライバ１５における低消費電力モードを維持するとともに、他のアプリケーションの処理などを実行する（Ｓ１０６でＮＯ）。
【００５９】
＜Ｓ１０８＞
そして、ユーザによってアプリケーション２２が起動されると（Ｓ１０６でＹＥＳ）、オペレーティングシステム２１は、活性モードへ切り替える制御命令をドライバ１５へ出力する。ドライバ１５は、処理部１１から制御命令を受けると、受けた制御命令に従って、活性モードへ遷移する（Ｓ１０８）。
【００６０】
＜Ｓ１１０＞
次に、オペレーティングシステム２１は、ユーザによってアプリケーション２２が使用されている間、ドライバ１５における活性モードを維持するとともに、たとえば、他のアプリケーションの処理、アプリケーション２２からの要求に基づく撮像部４および絞り部６の制御、ならびに撮像部４によって生成された画像のアプリケーション２２への出力などを実行する（Ｓ１１０でＮＯ）。
【００６１】
＜Ｓ１０４＞
次に、オペレーティングシステム２１は、たとえばユーザによってアプリケーション２２が終了されると（Ｓ１１０でＹＥＳ）、低消費電力モードへ切り替える制御命令、ここではスタンバイへ遷移させる制御命令をドライバ１５へ出力する。ドライバ１５は、処理部１１から制御命令を受けると、受けた制御命令に従って、低消費電力モードここでは待機状態へ遷移する（Ｓ１０４）。
【００６２】
なお、上記Ｓ１００では、ドライバ１５は、電子機器１の電源がオンされると、絞り電源オフ状態をとる構成であるとしたが、ドライバ１５は、電子機器１の電源がオンされると、待機状態または休止状態をとる構成であってもよい。
【００６３】
また、上記Ｓ１０４では、ドライバ１５は、低消費電力モードにおいて待機状態へ遷移する構成であるとしたが、ドライバ１５は、低消費電力モードにおいて、絞り電源オフ状態または休止状態へ遷移する構成であってもよい。
【００６４】
上記構成の電子機器によれば、たとえば、絞り部６の制御が不要なときに低消費電力モードに設定することができるので、電子機器１における消費電力を低減することができる。また、たとえば、絞り部６の制御が要求されたときに活性モードに切り替えることができるので、被写界深度および明るさを調整しながら被写体を撮像することができる。さらに、絞り部６によって撮像部４に結像される光を調整することができるため、被写界深度の調整や、撮像する画像の明るさを調整することが可能となり、高品質な画像を撮像する構成にすることができる。
【００６５】
上記構成の電子機器では、処理部１１が、撮像部４を操作するためのアプリケーション２２を実行することが可能であり、処理部１１が、アプリケーション２２を実行するまで、ドライバ１５を低消費電力モードに維持するため、電子機器１における消費電力を低減することができる。特に、被写体を撮像しないユーザ、および被写体の撮像頻度の少ないユーザに対して、ドライバ１５における電力消費を効果的に抑制することができる。
【００６６】
上記構成の電子機器では、処理部１１が、アプリケーション２２を実行する場合、ドライバ１５を低消費電力モードから活性モードへ切り替えるため、たとえばユーザによってアプリケーション２２の使用が開始されると、活性モードに切り替えられることで、被写界深度の調整機能および明るさの広範囲な調整機能をユーザに提供することができる。
【００６７】
上記構成の電子機器では、ドライバ１５が、電源端子、データ端子、および同期端子を有する集積回路に実装され、低消費電力モードおよび活性モードを切り替える制御命令をデータ端子経由で受けるため、１つの端子に与えるロジック信号のレベルに応じて低消費電力モードおよび活性モードを切り替える構成と比べて、１つのデータ端子から３種類以上の命令を受けることができる。これにより、たとえば、低消費電力モードをより細かく設定することができるので、低消費電力モードにおいてスタンバイおよびスリープなどのバリエーションを設けることができる。
【００６８】
上記構成の電子機器では、ドライバ１５が、低消費電力モードにおいて、待機状態、休止状態、および絞り電源オフ状態のいずれか１つをとるため、ユーザまたは製造事業者の省電力に対するポリシー、およびユーザまたは製造事業者の早期起動に対するポリシーを、バランスよく適合させた電力消費の低減を実現することができる。
【００６９】
＜（４）変形例１＞
次に、本実施形態の第１の変形例の電子機器における動作制御処理について、図４を参照しながら説明する。図４は、本実施形態における電子機器における動作制御処理の第１の変形例を示すフローチャートである。本動作制御処理のフローチャートは、図３に示す動作制御処理のフローチャートと比較して、ドライバ１５は、アプリケーション２２が起動されるまで絞り電源オフ状態が維持される点において相違している。以下では、電子機器１の電源がオフされている状況から始まる動作を想定する。
【００７０】
＜Ｓ２００＞
ユーザは、たとえば、電子機器１の電源をオンする。ドライバ１５は、電子機器１の電源がオンされると、絞り電源オフ状態をとる（Ｓ２００）。
【００７１】
＜Ｓ２０２＞
次に、オペレーティングシステム２１は、処理部１１において動作を開始し、たとえばユーザによってアプリケーション２２が起動されるまで、ドライバ１５における低消費電力モードすなわち絞り電源オフ状態を維持するとともに、他のアプリケーションの処理などを実行する（Ｓ２０２でＮＯ）。
【００７２】
＜Ｓ２０４＞
そして、オペレーティングシステム２１は、ユーザによってアプリケーション２２が起動されると（Ｓ２０２でＹＥＳ）、活性モードへ切り替える制御命令をドライバ１５へ出力する。ドライバ１５は、処理部１１から活性モードへ切り替える制御命令を受けると、受けた制御命令に従って、活性モードへ遷移する（Ｓ２０４）。
【００７３】
＜Ｓ２０６＞
次に、オペレーティングシステム２１は、ユーザによってアプリケーション２２が使用されている間、ドライバ１５における活性モードを維持するとともに、たとえば、他のアプリケーションの処理、アプリケーション２２からの要求に基づく撮像部４および絞り部６の制御、ならびに撮像部４によって生成された画像のアプリケーション２２への出力などを実行する（Ｓ２０６でＮＯ）。
【００７４】
＜Ｓ２０８＞
次に、オペレーティングシステム２１は、たとえばユーザによってアプリケーション２２が終了されると（Ｓ２０６でＹＥＳ）、低消費電力モードへ切り替える制御命令、ここでは絞り電源オフ状態へ遷移させる制御命令をドライバ１５へ出力する。ドライバ１５は、処理部１１から制御命令を受けると、受けた制御命令に従って、低消費電力モードここでは絞り電源オフ状態へ遷移する（Ｓ２０８）。
【００７５】
＜Ｓ２０２＞
次に、オペレーティングシステム２１は、たとえばユーザによってアプリケーション２２が再び起動されるまで、ドライバ１５における低消費電力モードを維持するとともに、他のアプリケーションの処理などを実行する（Ｓ２０２でＮＯ）。
【００７６】
＜（５）変形例２＞
次に、本実施形態の第２の変形例の電子機器における動作制御処理について、図５を参照しながら説明する。図５は、本実施形態における電子機器における動作制御処理の第２の変形例を示すフローチャートである。本動作制御処理のフローチャートは、図３に示す動作制御処理のフローチャートと比較して、ドライバ１５は、アプリケーション２２が起動されるまで絞り電源オフ状態が維持され、アプリケーション２２が起動されると、画像の明るさに基づき活性モードへ遷移するか否かの判断が行われる点において相違している。
【００７７】
この例では、処理部１１は、アプリケーション２２を実行する場合、画像の明るさを示す光量情報を取得し、取得した光量情報の示す画像の明るさと所定のしきい値Ｔｈ１とを比較する。そして、処理部１１は、比較結果に基づきドライバ１５を低消費電力モードから活性モードへ切り替える。以下では、電子機器１の電源がオフされている状況から始まる動作を想定する。また、電子機器１の電源がオフされている状態において、絞り部６における開口部の開口量が「全開」に設定されている状況を想定する。
【００７８】
＜Ｓ３００＞
ユーザは、たとえば、電子機器１の電源をオンする。ドライバ１５は、電子機器１の電源がオンされると、絞り電源オフ状態をとる（Ｓ３００）。
【００７９】
＜Ｓ３０２＞
次に、オペレーティングシステム２１は、処理部１１において動作を開始し、たとえばユーザによってアプリケーション２２が起動されるまで、ドライバ１５における低消費電力モードすなわち絞り電源オフ状態を維持するとともに、他のアプリケーションの処理などを実行する（Ｓ３０２でＮＯ）。
【００８０】
＜Ｓ３０４＞
そして、オペレーティングシステム２１は、ユーザによってアプリケーション２２が起動されると（Ｓ３０２でＹＥＳ）、ドライバ１５における低消費電力モード、ここでは絞り電源オフ状態を維持するとともに、光量情報を取得する。詳細には、オペレーティングシステム２１は、たとえば、画像要求を作成して制御ＩＣ１３へ出力し、当該画像要求の応答である画像情報を制御ＩＣ１３から受ける。オペレーティングシステム２１は、受けた画像情報に基づき撮像部４によって生成された画像の明るさを算出する（Ｓ３０４）。
【００８１】
＜Ｓ３０６＞
次に、オペレーティングシステム２１は、算出した画像の明るさと所定のしきい値Ｔｈ１とを比較する（Ｓ３０６）。
【００８２】
＜Ｓ３０８＞
オペレーティングシステム２１は、画像の明るさがしきい値Ｔｈ１以上である場合（Ｓ３０６でＹＥＳ）、活性モードへ切り替える制御命令をドライバ１５へ出力する。ドライバ１５は、処理部１１から制御命令を受けると、受けた制御命令に従って、自己の電源をオンして活性モードへ遷移する（Ｓ３０８）。
【００８３】
＜Ｓ３１０＞
次に、オペレーティングシステム２１は、ユーザによってアプリケーション２２が使用されている間、ドライバ１５における活性モードを維持するとともに、たとえば、他のアプリケーションの処理、アプリケーション２２からの要求に基づく撮像部４および絞り部６の制御、ならびに撮像部４によって生成された画像のアプリケーション２２への出力などを実行する（Ｓ３１０でＮＯ）。
【００８４】
＜Ｓ３１２＞
次に、オペレーティングシステム２１は、たとえばユーザによってアプリケーション２２が終了されると（Ｓ３１０でＹＥＳ）、低消費電力モードへ切り替える制御命令、ここでは絞り電源オフ状態へ遷移させる制御命令をドライバ１５へ出力する。ドライバ１５は、処理部１１から制御命令を受けると、受けた制御命令に従って、低消費電力モードここでは絞り電源オフ状態へ遷移する（Ｓ３１２）。
【００８５】
＜Ｓ３０２＞
次に、オペレーティングシステム２１は、たとえばユーザによってアプリケーション２２が再び起動されるまで、ドライバ１５における低消費電力モードを維持するとともに、他のアプリケーションの処理などを実行する（Ｓ３０２でＮＯ）。
【００８６】
＜Ｓ３１４＞
また、オペレーティングシステム２１は、画像の明るさがしきい値Ｔｈ１より小さい場合（Ｓ３０６でＮＯ）、ドライバ１５における低消費電力モード、ここでは絞り電源オフ状態を維持するとともに、アプリケーション２２が終了されたか否かを確認する（Ｓ３１４）。
【００８７】
＜Ｓ３０４＞
オペレーティングシステム２１は、ユーザによってアプリケーション２２が終了されていない場合（Ｓ３１４でＮＯ）、新たな光量情報を取得する（Ｓ３０４）。
【００８８】
＜Ｓ３０２＞
一方、オペレーティングシステム２１は、ユーザによってアプリケーション２２が終了された場合（Ｓ３１４でＹＥＳ）、ユーザによってアプリケーション２２が再び起動されるまで、ドライバ１５における低消費電力モードを維持するとともに、他のアプリケーションの処理などを実行する（Ｓ３０２でＮＯ）。
【００８９】
なお、絞り部６における開口部の開口量が、電子機器１の電源がオフされている状態において「全開」に設定されている状況を想定したが、開口部の開口量は、電子機器１の電源がオフされている状態において「小絞り」に設定されてもよい。この場合、オペレーティングシステム２１は、上記Ｓ３０６において、画像の明るさが所定のしきい値以下であるか否かを判定する。オペレーティングシステム２１は、画像の明るさが所定のしきい値以下である場合（Ｓ３０６でＹＥＳ）、活性モードへ切り替える制御命令をドライバ１５へ出力する（Ｓ３０８）。一方、オペレーティングシステム２１は、画像の明るさが所定のしきい値より大きい場合（Ｓ３０６でＮＯ）、アプリケーション２２が終了されたか否かを確認する（Ｓ３１４）。
【００９０】
また、ドライバ１５は、上記ステップＳ３００において、電子機器１の電源がオンされると、絞り電源オフ状態をとり、上記ステップＳ３１２において、絞り電源オフ状態へ遷移する構成であるとしたが、ドライバ１５は、上記ステップＳ３００において、電子機器１の電源がオンされると、休止状態または待機状態をとり、上記ステップＳ３１２において、休止状態または待機状態へ遷移する構成であってもよい。
【００９１】
上記構成の電子機器では、処理部１１は、アプリケーション２２を実行する場合、画像の明るさを示す光量情報を取得し、取得した光量情報の示す明るさと所定のしきい値Ｔｈ１とを比較する。そして、処理部１１は、比較結果に基づきドライバ１５を低消費電力モードから活性モードへ切り替える。これにより、絞り部６の開口が標準で「全開」に設定されている場合において画像の明るさが不足している状況であるとき、または絞り部６の開口が標準で「小絞り」に設定されている場合において画像の明るさが過剰な状況であるときのように、絞り部６の制御が不要な場合において低消費電力モードを維持することができる。一方、たとえば、絞り部６の開口が標準で「全開」に設定されている場合において画像の明るさが過剰な状況であるとき、または絞り部６の開口が標準で「小絞り」に設定されている場合において画像の明るさが不足している状況であるときのように、絞り部６の制御が要求される場合において活性モードへ切り替えることができる。これにより、アプリケーション２２が実行されても、必要のない場合には活性モードへ切り替えずに済ますことができるので、電子機器１における消費電力を効果的に低減することができる。
【００９２】
上記構成の電子機器では、ドライバ１５における絞り電源オフ状態、休止状態、待機状態および活性状態を、電子機器１の電源状態、アプリケーション２２の実行状況、および画像の明るさの状態に応じて適切に設定することができる。
【００９３】
＜（６）変形例３＞
次に、本実施形態の第３の変形例の電子機器における動作制御処理について、図６を参照しながら説明する。図６は、本実施形態における電子機器における動作制御処理の第３の変形例を示すフローチャートである。本動作制御処理のフローチャートは、図３に示す動作制御処理のフローチャートと比較して、ドライバ１５は、アプリケーション２２が起動するまで休止状態が維持され、アプリケーション２２が起動すると、画像の明るさの変化度合いに基づき活性モードへ遷移するか否かの判断が行われる点において相違している。
【００９４】
この例では、処理部１１は、アプリケーション２２を実行する場合、画像の明るさを示す光量情報を取得し、光量情報に基づき画像の明るさの変化度合いを算出する。処理部１１は、算出した変化度合いと所定のしきい値Ｔｈ２とを比較し、比較結果に基づきドライバ１５を低消費電力モードから活性モードへ切り替える。この例では、処理部１１は、変化度合いが所定のしきい値Ｔｈ２以上である場合、ドライバ１５を低消費電力モードから活性モードへ切り替える。以下では、電子機器１の電源がオフされている状況から始まる動作を想定する。
【００９５】
＜Ｓ４００＞
ユーザは、たとえば、電子機器１の電源をオンする。ドライバ１５は、電子機器１の電源がオンされると、休止状態をとる（Ｓ４００）。
【００９６】
＜Ｓ４０２＞
次に、オペレーティングシステム２１は、処理部１１において動作を開始し、たとえばユーザによってアプリケーション２２が起動されるまで、ドライバ１５における低消費電力モードすなわち休止状態を維持するとともに、他のアプリケーションの処理などを実行する（Ｓ４０２でＮＯ）。
【００９７】
＜Ｓ４０４＞
そして、オペレーティングシステム２１は、ユーザによってアプリケーション２２が起動されると（Ｓ４０２でＹＥＳ）、ドライバ１５における低消費電力モード、ここでは休止状態を維持するとともに、光量情報を取得する。詳細には、オペレーティングシステム２１は、たとえば、所定のサンプリング間隔で２つ以上の光量情報を取得する。この例では、オペレーティングシステム２１は、２つのタイミングにおける光量情報を取得する（Ｓ４０４）。
【００９８】
＜Ｓ４０５＞
次に、オペレーティングシステム２１は、取得した２つの光量情報に基づき、画像の明るさの変化度合いを算出する。詳細には、オペレーティングシステム２１は、たとえば、後のタイミングにおける光量情報の示す画像の明るさと先のタイミングにおける光量情報の示す画像の明るさとの差分を算出し、算出した差分を上記サンプリング間隔で除することによって画像の明るさの変化度合いすなわち画像の明るさの時間微分値を算出する（Ｓ４０５）。
【００９９】
＜Ｓ４０６＞
次に、オペレーティングシステム２１は、算出した画像の明るさの変化度合いと所定のしきい値Ｔｈ２とを比較する（Ｓ４０６）。
【０１００】
＜Ｓ４０８＞
オペレーティングシステム２１は、画像の明るさの変化度合いがしきい値Ｔｈ２以上である場合（Ｓ４０６でＹＥＳ）、活性モードへ切り替える制御命令をドライバ１５へ出力する。ドライバ１５は、処理部１１から制御命令を受けると、受けた制御命令に従って、活性モードへ遷移する（Ｓ４０８）。
【０１０１】
＜Ｓ４１０＞
次に、オペレーティングシステム２１は、ユーザによってアプリケーション２２が使用されている間、ドライバ１５における活性モードを維持するとともに、たとえば、他のアプリケーションの処理、アプリケーション２２からの要求に基づく撮像部４および絞り部６の制御、ならびに撮像部４によって生成された画像のアプリケーション２２への出力などを実行する（Ｓ４１０でＮＯ）。
【０１０２】
＜Ｓ４１２＞
次に、オペレーティングシステム２１は、たとえばユーザによってアプリケーション２２が終了されると（Ｓ４１０でＹＥＳ）、低消費電力モードへ切り替える制御命令、ここでは休止状態へ遷移させる制御命令をドライバ１５へ出力する。ドライバ１５は、処理部１１から制御命令を受けると、受けた制御命令に従って、低消費電力モードここでは休止状態へ遷移する（Ｓ４１２）。
【０１０３】
＜Ｓ４０２＞
次に、オペレーティングシステム２１は、たとえばユーザによってアプリケーション２２が再び起動されるまで、ドライバ１５における低消費電力モードを維持するとともに、他のアプリケーションの処理などを実行する（Ｓ４０２でＮＯ）。
【０１０４】
＜Ｓ４１４＞
また、オペレーティングシステム２１は、画像の明るさの変化度合いがしきい値Ｔｈ２より小さい場合（Ｓ４０６でＮＯ）、ドライバ１５における低消費電力モード、ここでは休止状態を維持するとともに、アプリケーション２２が終了されたか否かを確認する（Ｓ４１４）。
【０１０５】
＜Ｓ４０４＞
オペレーティングシステム２１は、ユーザによってアプリケーション２２が終了されていない場合（Ｓ４１４でＮＯ）、新たな２つのタイミングにおける光量情報を取得する（Ｓ４０４）。
【０１０６】
＜Ｓ４０２＞
一方、オペレーティングシステム２１は、ユーザによってアプリケーション２２が終了された場合（Ｓ４１４でＹＥＳ）、ユーザによってアプリケーション２２が再び起動されるまで、ドライバ１５における低消費電力モードを維持するとともに、他のアプリケーションの処理などを実行する（Ｓ４０２でＮＯ）。
【０１０７】
なお、ドライバ１５は、上記ステップＳ４００において、電子機器１の電源がオンされると、休止状態をとり、上記ステップＳ４１２において、休止状態へ遷移する構成であるとしたが、ドライバ１５は、上記ステップＳ４００において、電子機器１の電源がオンされると、待機状態をとり、上記ステップＳ４１２において、待機状態へ遷移する構成であってもよい。
【０１０８】
また、ドライバ１５は、低消費電力モードにおいて休止状態をとる構成であるとしたが、ドライバ１５は、低消費電力モードにおいて、絞り電源オフ状態または待機状態をとる構成であってもよい。ところで、画像の明るさの変化度合いが大きい場合、撮像部４のゲインコントロールによる画像の明るさの調整が追い付かないことがある。このため、大きな変化度合いを検知した場合、ドライバ１５をより短時間で起動する構成が好ましい。したがって、ドライバ１５は、低消費電力モードにおいて、起動時間をより短くすることが可能な待機状態をとる構成が好ましい。
【０１０９】
上記構成の電子機器では、ドライバ１５における絞り電源オフ状態、休止状態、待機状態および活性状態を、電子機器１の電源状態、アプリケーション２２の実行状況、および画像の明るさの状態に応じて適切に設定することができる。
【０１１０】
＜（７）変形例４＞
次に、本実施形態の第４の変形例の電子機器における動作制御処理について、図７を参照しながら説明する。図７は、本実施形態における電子機器における動作制御処理の第４の変形例を示すフローチャートである。本動作制御処理のフローチャートは、図３に示す動作制御処理のフローチャートと比較して、ドライバ１５は、アプリケーション２２が起動するまで絞り電源オフ状態が維持され、アプリケーション２２が起動すると、休止状態へ遷移し、画像の明るさの変化度合いに基づき活性モードへ遷移するか否かの判断が行われる点において相違している。
【０１１１】
この例では、処理部１１は、アプリケーション２２を実行する場合、ドライバ１５のモードを低消費電力モードにおける各状態間で遷移させるとともに、画像の明るさを示す光量情報を取得し、光量情報に基づき画像の明るさの変化度合いを算出する。処理部１１は、算出した変化度合いと所定のしきい値Ｔｈ２とを比較し、比較結果に基づきドライバ１５を低消費電力モードから活性モードへ切り替える。この例では、処理部１１は、変化度合いが所定のしきい値Ｔｈ２以上である場合、ドライバ１５を低消費電力モードから活性モードへ切り替える。以下では、電子機器１の電源がオフされている状況から始まる動作を想定する。
【０１１２】
＜Ｓ５００＞
ユーザは、たとえば、電子機器１の電源をオンする（Ｓ５００）。
【０１１３】
＜Ｓ５０１＞
次に、ドライバ１５は、電子機器１の電源がオンされると、絞り電源オフ状態をとる（Ｓ５０１）。
【０１１４】
＜Ｓ５０２＞
次に、オペレーティングシステム２１は、処理部１１において動作を開始し、たとえばユーザによってアプリケーション２２が起動されるまで、ドライバ１５における低消費電力モードすなわち絞り電源オフ状態を維持するとともに、他のアプリケーションの処理などを実行する（Ｓ５０２でＮＯ）。
【０１１５】
＜Ｓ５０３＞
そして、オペレーティングシステム２１は、ユーザによってアプリケーション２２が起動されると（Ｓ５０２でＹＥＳ）、休止状態へ切り替える制御命令をドライバ１５へ出力する。ドライバ１５は、処理部１１から制御命令を受けると、受けた制御命令に従って、休止状態へ遷移する（Ｓ５０３）。
【０１１６】
＜Ｓ５０４＞
次に、オペレーティングシステム２１は、光量情報を取得する。詳細には、オペレーティングシステム２１は、たとえば、所定のサンプリング間隔で２つ以上の光量情報を取得する。この例では、オペレーティングシステム２１は、２つのタイミングにおける光量情報を取得する（Ｓ５０４）。
【０１１７】
＜Ｓ５０５＞
次に、オペレーティングシステム２１は、取得した２つの光量情報に基づき、画像の明るさの変化度合いを算出する。詳細には、オペレーティングシステム２１は、たとえば、後のタイミングにおける光量情報の示す画像の明るさと先のタイミングにおける光量情報の示す画像の明るさとの差分を算出し、算出した差分を上記サンプリング間隔で除することによって画像の明るさの変化度合いすなわち画像の明るさの時間微分値を算出する（Ｓ５０５）。
【０１１８】
＜Ｓ５０６＞
次に、オペレーティングシステム２１は、算出した画像の明るさの変化度合いと所定のしきい値Ｔｈ２とを比較する（Ｓ５０６）。
【０１１９】
＜Ｓ５０８＞
オペレーティングシステム２１は、画像の明るさの変化度合いがしきい値Ｔｈ２以上である場合（Ｓ５０６でＹＥＳ）、活性モードへ切り替える制御命令をドライバ１５へ出力する。ドライバ１５は、処理部１１から制御命令を受けると、受けた制御命令に従って、活性モードへ遷移する（Ｓ５０８）。
【０１２０】
＜Ｓ５１０＞
次に、オペレーティングシステム２１は、ユーザによってアプリケーション２２が使用されている間、ドライバ１５における活性モードを維持するとともに、たとえば、他のアプリケーションの処理、アプリケーション２２からの要求に基づく撮像部４および絞り部６の制御、ならびに撮像部４によって生成された画像のアプリケーション２２への出力などを実行する（Ｓ５１０でＮＯ）。
【０１２１】
＜Ｓ５１２＞
次に、オペレーティングシステム２１は、たとえばユーザによってアプリケーション２２が終了されると（Ｓ５１０でＹＥＳ）、低消費電力モードへ切り替える制御命令、ここでは絞り電源オフ状態へ遷移させる制御命令をドライバ１５へ出力する。ドライバ１５は、処理部１１から制御命令を受けると、受けた制御命令に従って、低消費電力モードここでは絞り電源オフ状態へ遷移する（Ｓ５１２）。
【０１２２】
＜Ｓ５０２＞
次に、オペレーティングシステム２１は、たとえばユーザによってアプリケーション２２が再び起動されるまで、ドライバ１５における絞り電源オフ状態を維持するとともに、他のアプリケーションの処理などを実行する（Ｓ５０２でＮＯ）。
【０１２３】
＜Ｓ５１４＞
また、オペレーティングシステム２１は、画像の明るさの変化度合いがしきい値Ｔｈ２より小さい場合（Ｓ５０６でＮＯ）、アプリケーション２２が終了されたか否かを確認する（Ｓ５１４）。
【０１２４】
＜Ｓ５０４＞
オペレーティングシステム２１は、ユーザによってアプリケーション２２が終了されていない場合（Ｓ５１４でＮＯ）、新たな２つのタイミングにおける光量情報を取得する（Ｓ５０４）。
【０１２５】
＜Ｓ５０２＞
一方、オペレーティングシステム２１は、ユーザによってアプリケーション２２が終了された場合（Ｓ５１４でＹＥＳ）、低消費電力モードへ切り替える制御命令、ここでは絞り電源オフ状態へ遷移させる制御命令をドライバ１５へ出力する。ドライバ１５は、処理部１１から制御命令を受けると、受けた制御命令に従って、低消費電力モードここでは絞り電源オフ状態へ遷移する（Ｓ５１２）。
【０１２６】
なお、ドライバ１５は、上記ステップＳ５０３において、休止状態へ遷移する構成であるとしたが、ドライバ１５は、待機状態へ遷移する構成であってもよい。
【０１２７】
また、ドライバ１５は、上記ステップＳ５０１において、絞り電源オフ状態をとり、上記ステップＳ５０３において、休止状態へ遷移する構成であるとしたが、ドライバ１５は、上記ステップＳ５０１において、休止状態をとり、上記ステップＳ５０３において、待機状態へ遷移する構成であってもよい。さらに、ドライバ１５は、上記ステップＳ５１２において、休止状態へ遷移する構成であってもよい。
【０１２８】
また、オペレーティングシステム２１は、上記ステップＳ５０５，Ｓ５０６において、画像の明るさの変化度合いを算出し、算出した画像の明るさの変化度合いと所定のしきい値Ｔｈ２とを比較する構成であるとしたが、オペレーティングシステム２１は、画像の明るさと所定のしきい値Ｔｈ１とを比較し、画像の明るさがしきい値Ｔｈ１以上である場合、活性モードへ切り替える制御命令をドライバ１５へ出力する構成であってもよい。
【０１２９】
上記構成の電子機器では、処理部１１が、アプリケーション２２を実行する場合、画像の明るさを示す光量情報を取得し、光量情報に基づく画像の明るさの変化度合いと所定のしきい値Ｔｈ２との比較結果に基づき、ドライバ１５を低消費電力モードから活性モードへ切り替えるため、撮像部４からの画像の明るさに基づきドライバ１５を活性モードへ切り替える場合と比べて、より早いタイミングで活性モードへ切り替えることができる。
【０１３０】
上記構成の電子機器では、ドライバ１５における絞り電源オフ状態、休止状態、待機状態および活性状態を、電子機器１の電源状態、アプリケーション２２の実行状況、および画像の明るさの状態に応じて適切に設定することができる。
【０１３１】
＜２．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【０１３２】
本実施形態の電子機器では、絞り機構５における開口部の開口量が、「全開」および「小絞り」の２段階の絞り量で切り替え可能な構成について説明したが、絞り機構５は、３段階以上の多段階で切り替え可能な構成であってもよいし、無段階で絞り量を調整可能な構成であってもよい。
【０１３３】
また、本実施形態の電子機器では、光量情報が、撮像部４によって撮像された画像に基づき生成される構成について説明したが、光量情報は、たとえば、撮像部４とは別の照度センサなどの出力値に基づき生成される構成であってもよい。
【０１３４】
また、本実施形態の電子機器では、制御ＩＣ１３およびドライバ１５が別個のＩＣである構成について説明したが、制御ＩＣ１３およびドライバ１５が１つのＩＣに集約される構成であってもよい。
【０１３５】
また、本実施形態の電子機器では、羽根部材１７がボイスコイルモータ１６によって駆動される構成について説明したが、羽根部材１７が、他の種類のモータによって駆動される構成であってもよい。たとえば、羽根部材１７を駆動するモータには、電磁アクチュエータなどが含まれる。すなわち、マグネットロータと、コイルが磁性体に巻回された電磁石とを含み、該電磁石が上記マグネットロータの回転軸に対して垂直または軸方向に配置された電磁アクチュエータなどによって羽根部材１７が駆動されてもよい。
【０１３６】
また、本実施形態の電子機器が、スマートフォンである構成について説明したが、電子機器１は、ＷｉＦｉの通信方式に従う無線通信を行うタブレットなどの無線端末装置であってもよい。
【０１３７】
また、本実施形態の電子機器では、アプリケーション２２が、工場出荷後においてユーザによってインストールされる場合について説明したが、アプリケーション２２は、工場出荷時においてプリインストールされていてもよい。
【０１３８】
また、本実施形態の電子機器では、処理部１１は、画像の明るさと所定のしきい値Ｔｈ１とを比較し、比較結果に基づきドライバ１５を低消費電力モードから活性モードへ切り替える構成について説明したが、処理部１１は、比較結果に基づきドライバ１５を活性モードから低消費電力モードへ切り替える構成であってもよい。具体的には、処理部１１は、たとえば、アプリケーション２２が起動されると、ドライバ１５を活性モードに維持する。そして、処理部１１は、画像の明るさと開口部の開口量とがマッチングしている場合、具体的には、たとえば、開口部の開口量が「全開」に設定されているときに、画像の明るさが所定のしきい値Ｔｈ１より小さい場合、ドライバ１５を活性モードから低消費電力モードへ切り替える。
【０１３９】
また、本実施形態の電子機器では、処理部１１は、アプリケーション２２を実行する場合、画像の明るさを示す光量情報を取得し、光量情報に基づく画像の明るさの変化度合いと所定のしきい値Ｔｈ２との比較結果に基づき、ドライバ１５を低消費電力モードから活性モードへ切り替える構成について説明したが、処理部１１は、比較結果に基づきドライバ１５を活性モードから低消費電力モードへ切り替える構成であってもよい。具体的には、処理部１１は、たとえば、アプリケーション２２が起動されると、ドライバ１５を活性モードに維持する。そして、処理部１１は、たとえば、開口部の開口量が「全開」に設定されているときに、画像の明るさの変化度合いが所定のしきい値Ｔｈ２より小さい場合、ドライバ１５を活性モードから低消費電力モードへ切り替える。
【産業上の利用可能性】
【０１４０】
本発明の電子機器は、たとえば、スマートフォンおよびタブレットなどの携帯型の無線通信端末に好適に適用される。
【符号の説明】
【０１４１】
１…電子機器
２…メイン基板
３…カメラモジュール
４…撮像部
５…絞り機構
６…絞り部
７…表示部
８…入力部
１１…処理部
１２…メモリ
１３…制御ＩＣ
１４…撮像素子
１５…ドライバ
１６…ボイスコイルモータ
１７…羽根部材
２１…オペレーティングシステム
２２…アプリケーション
【図１】
2019114874.tif 000003
【図２】
2019114874.tif 000004
【図３】
2019114874.tif 000005
【図４】
2019114874.tif 000006
【図５】
2019114874.tif 000007
【図６】
2019114874.tif 000008
【図７】
2019114874.tif 000009